(57)【特許請求の範囲】
【請求項１】
気液熱交換器と、
前記気液熱交換器に並列接続されている液液熱交換器と、
前記気液熱交換器に熱媒を送る第１熱媒往路と、
前記気液熱交換器からの熱媒を戻す第１熱媒復路と、
前記第１熱媒往路から分岐しており、前記第１熱媒往路を流れる熱媒の一部を前記液液熱交換器に送る第２熱媒往路と、
前記第１熱媒復路に合流しており、前記液液熱交換器からの熱媒を戻す第２熱媒復路と、
前記液液熱交換器に水を送る第１送水路と、
ミストノズルと、
前記液液熱交換器から前記ミストノズルに水を送る第２送水路と、
前記第１熱媒往路または前記第１熱媒復路を開閉する第１熱媒弁と、
前記第２熱媒往路または前記第２熱媒復路を開閉する第２熱媒弁と、
前記第１熱媒往路を流れる熱媒の温度を検知する熱媒温度センサと、
前記第１送水路または前記第２送水路を開閉するミスト弁と、
浴室内の温度を検知する浴室温度センサと、
前記気液熱交換器と前記浴室内の間で空気を循環させる循環ファンと、
制御手段を備えており、
ミスト運転を実行可能な浴室空調機であって、
前記ミスト運転は、
前記気液熱交換器が、前記第１熱媒往路によって前記気液熱交換器に送られた熱媒によって前記浴室内に送る空気を加熱し、
前記液液熱交換器が、前記第１送水路によって前記液液熱交換器に送られた水を、前記第２熱媒往路によって前記液液熱交換器に送られた熱媒によって加熱し、
前記ミストノズルが、前記第２送水路によって前記液液熱交換器から前記ミストノズルに送られた水をミスト状にして前記浴室内に噴霧する運転であり、
前記制御手段は、前記ミスト運転の開始時に前記第２熱媒弁と前記ミスト弁を閉状態としたまま、かつ、前記循環ファンを停止したまま前記第１熱媒弁を開状態にする処理と、前記熱媒温度センサによって検知される熱媒の温度が所定の基準熱媒温度に達した場合に前記循環ファンを駆動する処理とをこの順で実行し、前記ミスト運転において、前記循環ファンを駆動する処理を実行した後に前記浴室温度センサによって検知される前記浴室内の温度が所定の第１基準浴室温度に達した場合に前記第２熱媒弁を開状態にする処理と、前記ミスト弁を開状態にする処理とをこの順で実行するように構成されている、浴室空調機。
【請求項２】
前記制御手段は、前記ミスト運転において、前記循環ファンを駆動する処理を実行した後に前記浴室温度センサによって検知される前記浴室内の温度が第１基準浴室温度よりも高い所定の第２基準浴室温度に達した場合に前記ミスト弁を開状態にする処理を実行するように構成されている、請求項１に記載の浴室空調機。
【請求項３】
前記制御手段は、前記ミスト運転において、前記第２熱媒弁を開状態にする処理を実行した後に所定時間が経過した場合に前記ミスト弁を開状態にする処理を実行するように構成されている、請求項１に記載の浴室空調機。
【発明の詳細な説明】
【技術分野】
【０００１】
本明細書に開示する技術は、浴室空調機に関する。
【背景技術】
【０００２】
特許文献１に開示されている浴室空調機は、気液熱交換器と、気液熱交換器に並列接続されている液液熱交換器と、気液熱交換器に熱媒を送る第１熱媒往路と、第１熱媒往路から分岐して第１熱媒往路を流れる熱媒の一部を液液熱交換器に送る第２熱媒往路と、液液熱交換器に水を送る第１送水路を備えている。また、浴室空調機は、ミストノズルと、液液熱交換器からミストノズルに水を送る第２送水路を備えている。また、浴室空調機は、第１熱媒往路を開閉する第１熱媒弁と、第２熱媒往路を開閉する第２熱媒弁と、第１熱媒往路を流れる熱媒の温度を検知する熱媒温度センサと、第２送水路を開閉するミスト弁と、浴室内の温度を検知する浴室温度センサと、制御手段を備えている。この浴室空調機は、ミスト運転を実行可能である。ミスト運転では、気液熱交換器が、第１熱媒往路によって気液熱交換器に送られた熱媒によって浴室内に送る空気を加熱する。また、液液熱交換器が、第１送水路によって液液熱交換器に送られた水を、第２熱媒往路によって液液熱交換器に送られた熱媒によって加熱する。また、ミストノズルが、第２送水路によって液液熱交換器からミストノズルに送られた水をミスト状にして浴室内に噴霧する。
【０００３】
特許文献１の浴室空調機では、制御手段が、ミスト運転の開始時にミスト弁を閉状態としたまま第１熱媒弁と第２熱媒弁を開状態とする。第１熱媒弁が開状態になると、熱媒が第１熱媒往路を流れて気液熱交換器に送られる。第２熱媒弁が開状態になると、熱媒が第２熱媒往路を流れて液液熱交換器に送られる。
【０００４】
また、制御手段はその後、浴室温度センサによって検知される浴室内の温度が所定の基準浴室温度に達した場合にミスト弁を開状態にする。ミスト弁が開状態になると、液液熱交換器からミストノズルへ水が送られ、ミストノズルから浴室内にミスト状の水が噴霧される。
【０００５】
特許文献１の浴室空調機では、ミスト運転の開始時に第１熱媒弁と第２熱媒弁の両方が開状態になり、気液熱交換器と液液熱交換器の両方に熱媒が送られる。気液熱交換器では熱媒によって空気が加熱され、液液熱交換器では熱媒によって水が加熱される。したがって、特許文献１の浴室空調機では、ミスト運転の開始直後から空気と水の両方が熱媒によって加熱される。
【先行技術文献】
【特許文献】
【０００６】
【特許文献１】特開２００６−０７１１４３号公報
【発明の概要】
【発明が解決しようとする課題】
【０００７】
特許文献１の浴室空調機では、ミスト運転の開始時に気液熱交換器と液液熱交換器の両方に熱媒が送られ、ミスト運転の開始直後から空気と水の両方が熱媒によって同時に加熱される。そのため、液液熱交換器において熱媒の熱が無駄に浪費されてしまう。すなわち、ミスト運転を実行可能な浴室空調機では、ミスト運転の開始直後から液液熱交換器で水を加熱する必要はなく、浴室内にミスト状の水を噴霧する段階になってから液液熱交換器で水を加熱すればよい。したがって、その前段階において液液熱交換器で水が加熱されると、液液熱交換器で熱媒の熱が無駄に浪費されてしまう。
【０００８】
そこで本明細書は、液液熱交換器からの放熱によって熱媒の熱を無駄に浪費することがない技術を提供する。
【課題を解決するための手段】
【０００９】
本明細書に開示する浴室空調機は、気液熱交換器と、気液熱交換器に並列接続されている液液熱交換器と、気液熱交換器に熱媒を送る第１熱媒往路と、気液熱交換器からの熱媒を戻す第１熱媒復路と、第１熱媒往路から分岐しており、第１熱媒往路を流れる熱媒の一部を液液熱交換器に送る第２熱媒往路と、第１熱媒復路に合流しており、液液熱交換器からの熱媒を戻す第２熱媒復路と、液液熱交換器に水を送る第１送水路を備えている。また、浴室空調機は、ミストノズルと、液液熱交換器からミストノズルに水を送る第２送水路を備えている。また、浴室空調機は、第１熱媒往路または第１熱媒復路を開閉する第１熱媒弁と、第２熱媒往路または第２熱媒復路を開閉する第２熱媒弁と、第１熱媒往路を流れる熱媒の温度を検知する熱媒温度センサと、第１送水路または第２送水路を開閉するミスト弁と、浴室内の温度を検知する浴室温度センサと、気液熱交換器と浴室内の間で空気を循環させる循環ファンと、制御手段を備えている。この浴室空調機は、ミスト運転を実行可能である。ミスト運転では、気液熱交換器が、第１熱媒往路によって気液熱交換器に送られた熱媒によって浴室内に送る空気を加熱し、液液熱交換器が、第１送水路によって液液熱交換器に送られた水を、第２熱媒往路によって液液熱交換器に送られた熱媒によって加熱し、ミストノズルが、第２送水路によって液液熱交換器からミストノズルに送られた水をミスト状にして浴室内に噴霧する。制御手段は、ミスト運転の開始時に第２熱媒弁とミスト弁を閉状態としたまま、かつ、循環ファンを停止したまま第１熱媒弁を開状態にする処理と、熱媒温度センサによって検知される熱媒の温度が所定の基準熱媒温度に達した場合に循環ファンを駆動する処理とをこの順で実行し、ミスト運転において、循環ファンを駆動する処理を実行した後に浴室温度センサによって検知される浴室内の温度が所定の第１基準浴室温度に達した場合に第２熱媒弁を開状態にする処理と、ミスト弁を開状態にする処理とをこの順で実行するように構成されている。
【００１０】
このような構成によれば、ミスト運転の開始時には、第２熱媒弁が閉状態であるので第２熱媒往路内の熱媒が流れていない。したがって、ミスト運転の開始時には、液液熱交換器へ熱媒が送られない。この状態で制御手段が第１熱媒弁を開状態にすると、第１熱媒往路内の熱媒が流れて気液熱交換器に熱媒が送られる。このように、上記の構成によれば、液液熱交換器に熱媒が送られない状態で気液熱交換器に熱媒を送ることができる。そのため、ミスト運転の開始時には熱媒を液液熱交換器に送らずに気液熱交換器に集中して送ることができ、液液熱交換器での熱媒からの放熱による熱の無駄な消費を防ぐことができる。なお、この場合、気液熱交換器での熱媒からの放熱は存在するが、気液熱交換器での放熱は、その後の浴室内の暖房に利用されるため、熱が無駄に消費されてしまうことはない。その後、制御手段は、熱媒温度センサによって検知される熱媒の温度が所定の基準熱媒温度に達した場合に第２熱媒弁を開状態にし、その後にミスト弁を開状態にする。これによって、熱媒の温度が高くなった後に液液熱交換器に熱媒を送ることができ、その熱媒によってミストノズルに送る水を加熱することができる。
【００１１】
以上のように、上記の構成によれば、最初に気液熱交換器のみに熱媒を送り、その後に液液熱交換器に熱媒を送ることによって、液液熱交換器からの放熱によって熱媒の熱を無駄に浪費することがない。
【００１３】
このような構成によれば、ミスト運転の開始時には循環ファンが停止しているので、熱媒が高温になる前は、浴室内と気液熱交換器の間で空気が循環することがない。したがって、気液熱交換器でそれほど加熱されていない低温の空気が浴室内に送られることがない。その後、熱媒温度センサによって検知される熱媒の温度が基準熱媒温度に達した場合に循環ファンが駆動する。これによって、高温の熱媒によって加熱された空気を浴室内に送ることができ、浴室内に暖かい空気を送ることができる。
【００１５】
このような構成によれば、浴室温度センサによって検知される浴室内の温度が第１基準浴室温度に達した後に液液熱交換器に熱媒を送ることができる。したがって、浴室内の温度が高くなるまでは、液液熱交換器に熱媒を送らずに気液熱交換器のみに熱媒を集中して送ることができる。これによって、浴室内の温度が高くなるまでは、気液熱交換器によって浴室内に送る空気を優先的に加熱することができる。その後、浴室内の空気が暖まってから、液液熱交換器に熱媒を送ることができる。そして、液液熱交換器においてミストノズルに送るための水を熱媒によって加熱する。以上より、まずは気液熱交換器によって浴室内に送る空気を優先的に加熱するので、浴室内の温度の上昇速度を速くすることができる。
【００１６】
また、上記の浴室空調機では、制御手段が、ミスト運転において、循環ファンを駆動する処理を実行した後に浴室温度センサによって検知される浴室内の温度が第１基準浴室温度よりも高い所定の第２基準浴室温度に達した場合にミスト弁を開状態にする処理を実行するように構成されていてもよい。
【００１７】
このような構成によれば、浴室温度センサによって検知される浴室内の温度が第２基準浴室温度に達した後に、液液熱交換器からミストノズルに水を送ることができる。よって、浴室内の温度が高くなった後にミスト状の水を浴室内に噴霧することができる。
【００１８】
上記の浴室空調機では、制御手段が、ミスト運転において、第２熱媒弁を開状態にする処理を実行した後に所定時間が経過した場合にミスト弁を開状態にする処理を実行するように構成されていてもよい。
【００１９】
このような構成によれば、浴室温度センサによって検知される浴室内の温度をコントローラーでの制御に利用できない場合であっても、第２熱媒弁を開状態にした後に浴室内の温度が上昇する時間を確保することができる。そして、浴室内の温度が高くなった後に、液液熱交換器からミストノズルに水を送ることができる。よって、浴室内の温度が高くなった後にミスト状の水を浴室内に噴霧することができる。
【図面の簡単な説明】
【００２０】
【図１】実施例の浴室空調機とガス熱源機の概略構成を示す図である。
【図２】コントローラーが実行する第１実施例の処理を示すフローチャートである。
【図３】第１実施例の処理のタイミングチャートである。
【図４】コントローラーが実行する他の実施例の処理を示すフローチャートである。
【図５】コントローラーが実行する第２実施例の処理を示すフローチャートである。
【図６】第２実施例の処理のタイミングチャートである。
【図７】従来技術の処理のタイミングチャートである。
【発明を実施するための形態】
【００２１】
図１に示すように、実施例に係る浴室空調機１は、ガス熱源機１００に接続されて使用される。そこで、まずガス熱源機１００の構成について説明する。ガス熱源機１００は、シスターン１０１と、ガスバーナー１０２と、熱交換器１０３を備えている。また、ガス熱源機１００は、加熱用熱媒路１０４と、送り用熱媒路１０５と、戻り用熱媒路１０６と、ポンプ１０７を備えている。
【００２２】
シスターン１０１は、内部に熱媒を貯留している。熱媒としては、例えば水や不凍液を用いることができる。ガスバーナー１０２は、ガスを燃焼させて熱交換器１０３を加熱する。熱交換器１０３は、燃焼ガスと熱媒の熱交換によって熱媒を加熱する。熱交換器１０３内を熱媒が流れる過程で熱交換が行われる。
【００２３】
加熱用熱媒路１０４の一端は、シスターン１０１に接続されている。加熱用熱媒路１０４の他端は、熱交換器１０３に接続されている。加熱用熱媒路１０４は、シスターン１０１から熱交換器１０３へ熱媒を送る。
【００２４】
送り用熱媒路１０５の一端は、熱交換器１０３に接続されている。送り用熱媒路１０５の他端は、後述する浴室空調機１の第１熱媒往路２１ａに接続されている。送り用熱媒路１０５は、熱交換器１０３から浴室空調機１の第１熱媒往路２１ａへ熱媒を送る。
【００２５】
戻り用熱媒路１０６の一端は、後述する浴室空調機１の第１熱媒復路２１ｂに接続されている。戻り用熱媒路１０６の他端は、シスターン１０１に接続されている。戻り用熱媒路１０６は、浴室空調機１の第１熱媒復路２１ｂからシスターン１０１へ熱媒を送る。
【００２６】
ポンプ１０７は、加熱用熱媒路１０４に設けられている。ポンプ１０７は、加熱用熱媒路１０４内の熱媒を圧力で押し出して、加熱用熱媒路１０４と送り用熱媒路１０５と戻り用熱媒路１０６内の熱媒を循環させる。
【００２７】
次に、浴室空調機１の構成について説明する。浴室空調機１は、浴室５内の空調を行う機器である。例えば、浴室空調機１は、浴室５内の暖房や乾燥を行う。また、浴室空調機１は、浴室５内にミスト状の水を噴霧するミスト運転を実行可能である。
【００２８】
浴室空調機１は、第１熱媒路２１と、熱媒温度センサ７と、気液熱交換器２を備えている。また、浴室空調機１は、循環ファン４と、換気ファン９と、浴室温度センサ８を備えている。
【００２９】
第１熱媒路２１は、第１熱媒往路２１ａと第１熱媒復路２１ｂを備えている。第１熱媒往路２１ａの一端は、ガス熱源機１００の送り用熱媒路１０５に接続されている。第１熱媒往路２１ａの他端は、気液熱交換器２に接続されている。第１熱媒往路２１ａは、ガス熱源機１００の送り用熱媒路１０５から気液熱交換器２へ熱媒を送る。
【００３０】
第１熱媒復路２１ｂの一端は、気液熱交換器２に接続されている。第１熱媒復路２１ｂの他端は、ガス熱源機１００の戻り用熱媒路１０６に接続されている。第１熱媒復路２１ｂは、気液熱交換器２からガス熱源機１００の戻り用熱媒路１０６へ熱媒を送る。
【００３１】
第１熱媒往路２１ａには、第１熱媒弁３１が設けられている。第１熱媒弁３１は熱動弁である。第１熱媒弁３１は、第１熱媒往路２１ａを開閉する。第１熱媒弁３１が開状態になると、ガス熱源機１００から第１熱媒往路２１ａを介して気液熱交換器２へ熱媒が送られ、気液熱交換器２から第１熱媒復路２１ｂを介してガス熱源機１００に熱媒が戻される。第１熱媒弁３１が閉状態になると、ガス熱源機１００から第１熱媒往路２１ａを介して気液熱交換器２へ送られ、気液熱交換器２から第１熱媒復路２１ｂを介してガス熱源機１００に戻される熱媒の流れが止まる。
【００３２】
熱媒温度センサ７は、第１熱媒往路２１ａに設けられている。熱媒温度センサ７は、第１熱媒往路２１ａを流れる熱媒の温度を検知する。熱媒温度センサ７は、ガス熱源機１００によって加熱された後の熱媒であって気液熱交換器２で熱交換される前の熱媒の温度を検知する。熱媒温度センサ７としては、温度変化によって抵抗値が変化するサーミスタを用いることができる。
【００３３】
気液熱交換器２は、例えば、温水コイルである。気液熱交換器２は、熱媒と空気の熱交換によって空気を加熱する。気液熱交換器２は、ガス熱源機１００によって加熱されて気液熱交換器２に送られた熱媒の熱によって、浴室５内に送る空気を加熱する。気液熱交換器２内を熱媒が流れる過程で熱交換が行われる。
【００３４】
循環ファン４は、気液熱交換器２に隣接して配置されている。循環ファン４は、モーター４ａによって駆動される。循環ファン４は、回転することによって空気を送風する。循環ファン４は、浴室５内の空気を気液熱交換器２に送るとともに、気液熱交換器２によって加熱された空気を浴室５内に送る。すなわち、循環ファン４は、気液熱交換器２と浴室５内の間で空気を循環させる。循環ファン４から浴室５に向かう経路の途中に可変ルーバー８７が配置されている。可変ルーバー８７は、循環ファン４によって浴室５内に送風される空気の風向を変更可能である。可変ルーバー８７は、モーター８７ａによって駆動される。
【００３５】
換気ファン９は、モーター９ａによって駆動される。換気ファン９は、回転することによって浴室５内の空気を換気する。換気ファン９は、浴室５内の湿った空気を浴室５外に排気する。
【００３６】
浴室温度センサ８は、気液熱交換器２に隣接して配置されている。また、浴室温度センサ８は、浴室５と対向する位置に設けられている。浴室温度センサ８は、浴室５内の温度を検知する。より詳細には、浴室温度センサ８は、循環ファン４が浴室５内の空気を気液熱交換器２に送る際にその空気の温度を検知する。浴室温度センサ８としては、温度変化によって抵抗値が変化するサーミスタを用いることができる。
【００３７】
また、浴室空調機１は、第２熱媒路２２と、液液熱交換器３を備えている。更に、浴室空調機１は、第１送水路４１と、第２送水路４２と、ミストノズル６と、コントローラー９０（制御手段の一例）を備えている。
【００３８】
第２熱媒路２２は、第２熱媒往路２２ａと第２熱媒復路２２ｂを備えている。第２熱媒往路２２ａの一端は、第１熱媒往路２１ａの第１熱媒弁３１や熱媒温度センサ７よりも上流側に接続されている。第２熱媒往路２２ａは、第１熱媒往路２１ａから分岐している。第１熱媒往路２１ａを流れる熱媒の一部が第２熱媒往路２２ａへ流れる。第２熱媒往路２２ａの他端は、液液熱交換器３に接続されている。第２熱媒往路２２ａは、第１熱媒往路２１ａから液液熱交換器３へ熱媒を送る。
【００３９】
第２熱媒復路２２ｂの一端は、液液熱交換器３に接続されている。第２熱媒復路２２ｂの他端は、第１熱媒復路２１ｂに接続されている。第２熱媒復路２２ｂは、第１熱媒復路２１ｂに合流している。第２熱媒復路２２ｂは、液液熱交換器３から第１熱媒復路２１ｂへ熱媒を送る。第２熱媒復路２２ｂを流れる熱媒が、第１熱媒復路２１ｂを流れる熱媒に合流する。
【００４０】
第２熱媒復路２２ｂには、第２熱媒弁３２が設けられている。第２熱媒弁３２は流量制御弁である。第２熱媒弁３２は、第２熱媒復路２２ｂを開閉する。第２熱媒弁３２が開状態になると、第１熱媒往路２１ａから第２熱媒往路２２ａを介して液液熱交換器３に熱媒が送られ、液液熱交換器３から第２熱媒復路２２ｂを介して第１熱媒復路２１ｂに熱媒が戻される。第２熱媒弁３２が閉状態になると、第１熱媒往路２１ａから第２熱媒往路２２ａを介して液液熱交換器３へ送られ、液液熱交換器３から第２熱媒復路２２ｂを介して第１熱媒復路２１ｂに戻される熱媒の流れが止まる。
【００４１】
液液熱交換器３は、例えば、プレート式の熱交換器である。液液熱交換器３は、高温の熱媒と低温の水の熱交換によって低温の水を加熱する。液液熱交換器３は、気液熱交換器２に並列接続されている。第１熱媒往路２１ａによって気液熱交換器２に送られる熱媒の一部が第２熱媒往路２２ａによって液液熱交換器３に送られる。液液熱交換器３で熱交換された後の熱媒が第２熱媒復路２２ｂによって第１熱媒復路２１ｂに送られる。液液熱交換器３は、ガス熱源機１００によって加熱されて液液熱交換器３に送られた熱媒の熱によって、ミストノズル６に送る水を加熱する。液液熱交換器３内を熱媒が流れる過程で熱交換が行われる。
【００４２】
第１送水路４１の一端は、水道水の供給源（図示せず）に接続されており、第１送水路４１に水道水が供給される。第１送水路４１の他端は、液液熱交換器３に接続されている。第１送水路４１は、水道水を液液熱交換器３へ送る。
【００４３】
第１送水路４１には、逆止弁５３と給水弁５２が設けられている。逆止弁５３は、第１送水路４１を流れる水の逆流を防止する。給水弁５２は電磁弁である。給水弁５２は、第１送水路４１を開閉する。給水弁５２が開状態になると、第１送水路４１に水が流れる。給水弁５２が開状態になると第１送水路４１を介して液液熱交換器３に水が送られる。給水弁５２が閉状態になると、第１送水路４１内の水の流れが止まる。
【００４４】
また、第１送水路４１には、迂回路４３が接続されている。迂回路４３の一端は、給水弁５２より上流側の第１送水路４１に接続されている。迂回路４３の他端は、給水弁５２より下流側の第１送水路４１に接続されている。迂回路４３は、給水弁５２より上流側の第１送水路４１から給水弁５２より下流側の第１送水路４１へ水を送る。
【００４５】
迂回路４３には、第１過圧逃がし弁５５が設けられている。第１過圧逃がし弁５５は、迂回路４３を開閉する。第１過圧逃がし弁５５が開状態になると、迂回路４３に水が流れる。第１過圧逃がし弁５５が閉状態になると、迂回路４３内の水の流れが止まる。第１過圧逃がし弁５５は、給水弁５２と逆止弁５３の間の水圧が過剰に高くなると開状態になる。第１過圧逃がし弁５５が開状態になると第１送水路４１内の水圧が下がる。
【００４６】
第２送水路４２の一端は、液液熱交換器３に接続されている。第２送水路４２の他端は、ミストノズル６に接続されている。第２送水路４２は、液液熱交換器３からミストノズル６へ水を送る。第２送水路４２には、ミスト温度センサ８１が設けられている。ミスト温度センサ８１は、第２送水路４２を流れる水の温度を検知する。ミスト温度センサ８１は、液液熱交換器３で熱交換された後の水の温度を検知する。ミスト温度センサ８１としては、温度変化によって抵抗値が変化するサーミスタを用いることができる。
【００４７】
第２送水路４２には、ミスト弁５１が設けられている。ミスト弁５１は電磁弁である。ミスト弁５１は、第２送水路４２を開閉する。ミスト弁５１が開状態になると、第２送水路４２に水が流れる。ミスト弁５１が開状態になると液液熱交換器３からミストノズル６へ水が送られる。ミスト弁５１が閉状態になると、第２送水路４２内の水の流れが止まる。
【００４８】
第２送水路４２には、放水路４４が接続されている。放水路４４の一端は、ミスト弁５１より上流側の第２送水路４２に接続されている。放水路４４の他端は、開放されている。放水路４４は、第２送水路４２を流れる水の一部を外部に放出する。
【００４９】
放水路４４には、第２過圧逃がし弁５６が設けられている。第２過圧逃がし弁５６は、放水路４４を開閉する。第２過圧逃がし弁５６が開状態になると、放水路４４に水が流れて、水が放出される。第２過圧逃がし弁５６が閉状態になると、放水路４４に水が流れず、水が放出されない。第２過圧逃がし弁５６は、ミスト弁５１と液液熱交換器３の間の水圧が過剰に高くなると開状態になる。第２過圧逃がし弁５６が開状態になると第２送水路４２内の水圧が下がる。
【００５０】
ミストノズル６は、第２送水路４２によってミストノズル６に送られた水をミスト状にして噴霧する。ミストノズル６は、浴室５内に対向するように配置されている。ミストノズル６は、浴室５内にミスト状の水を噴霧する。
【００５１】
コントローラー９０は、浴室空調機１の各構成要素の動作を制御する。コントローラー９０による制御については後述する。
【００５２】
次に、上記の浴室空調機１の動作について説明する。また、コントローラー９０が実行する処理について図２のフローチャートと図３のタイミングチャートを用いて説明する。
【００５３】
（第１実施例）
まず初期状態では、ガス熱源機１００によって加熱された熱媒が、送り用熱媒路１０５によって浴室空調機１の第１熱媒往路２１ａへ送られている。また初期状態では、浴室空調機１の第１熱媒往路２１ａに設けられている第１熱媒弁３１が閉状態であるとする。また、第２熱媒復路２２ｂに設けられている第２熱媒弁３２が閉状態であるとする。この場合、第１熱媒路２１（第１熱媒往路２１ａと第１熱媒復路２１ｂ）内の熱媒が流れておらず、気液熱交換器２へ熱媒が送られていない。また、第２熱媒路２２（第２熱媒往路２２ａと第２熱媒復路２２ｂ）内の熱媒が流れておらず、液液熱交換器３へ熱媒が送られていない状態である。
【００５４】
また初期状態では、浴室空調機１の第１送水路４１へ水道水が送られている。また、第１送水路４１に設けられている給水弁５２が閉状態であるとする。また、第２送水路４２に設けられているミスト弁５１が閉状態であるとする。この場合、第１送水路４１と第２送水路４２内の水が流れておらず、ミストノズル６へ水が送られていない状態である。
【００５５】
また初期状態では、循環ファン４が停止している。よって、気液熱交換器２と浴室５内の間で空気が循環しておらず、気液熱交換器２によって加熱された空気が浴室５内に送られていない状態である。浴室５内の温度は、浴室温度センサ８によって検知されている。初期状態では、浴室温度センサ８によって検知される浴室内の温度（浴室温度センサ８の検知温度Ｔｒ）がまだ低い状態である。
【００５６】
上記の初期状態からミスト運転が開始になると、浴室空調機１のコントローラー９０が以下の処理を実行する。
【００５７】
図２及び図３に示すように、まずＳ１１では、コントローラー９０が、浴室空調機１の第１熱媒往路２１ａに設けられている第１熱媒弁３１を開状態にする。第１熱媒弁３１が開状態になると、第１熱媒路２１（第１熱媒往路２１ａと第１熱媒復路２１ｂ）内の熱媒が流れ始める。したがって、ガス熱源機１００の送り用熱媒路１０５から第１熱媒往路２１ａへ熱媒が送られ、第１熱媒往路２１ａを流れて気液熱交換器２へ送られる。
【００５８】
熱媒が第１熱媒往路２１ａを流れるときに、第１熱媒往路２１ａに設けられている熱媒温度センサ７によって熱媒の温度が検知されている。Ｓ１１の時点では、熱媒温度センサ７によって検知される熱媒の温度（熱媒温度センサ７の検知温度Ｔｗ）がまだ低い状態である。その後、時間の経過とともに熱媒温度センサ７の検知温度Ｔｗが上昇してゆく（図３参照）。
【００５９】
気液熱交換器２では、第１熱媒往路２１ａから気液熱交換器２に送られた熱媒によって浴室５内に送る空気が加熱される。熱媒と空気の熱交換によって空気が加熱される。この時点では循環ファン４が停止しているので、気液熱交換器２によって加熱された空気が浴室５内に送られていない。したがって、浴室温度センサ８によって検知される浴室５内の温度（浴室温度センサ８の検知温度Ｔｒ）がまだ低い状態である（図３参照）。気液熱交換器２で熱交換された後の熱媒は、第１熱媒復路２１ｂを流れる。熱交換された後の熱媒が第１熱媒復路２１ｂによってガス熱源機１００の戻り用熱媒路１０６へ送られる。
【００６０】
続くＳ１２では、コントローラー９０が、熱媒温度センサ７の検知温度Ｔｗが所定の基準熱媒温度Ｔａ以上であるか否かを判断する。所定の基準熱媒温度Ｔａは例えば４０℃である。熱媒温度センサ７の検知温度Ｔｗが所定の基準熱媒温度Ｔａ（４０℃）以上である場合は、Ｓ１２でコントローラー９０がＹｅｓと判断してＳ１３に進む。熱媒温度センサ７の検知温度Ｔｗが所定の基準熱媒温度Ｔａ（４０℃）以上でない（未満である）場合は、Ｓ１２でコントローラー９０がＮｏと判断して待機する。
【００６１】
続くＳ１３では、コントローラー９０が、循環ファン４を駆動する。循環ファン４が駆動すると、気液熱交換器２と浴室５内の間で空気が循環し、気液熱交換器２によって加熱された空気が浴室５内に送られる。Ｓ１３の時点では、Ｓ１１の時点と比べて熱媒の温度が高い状態である。高温の熱媒によって加熱された空気が浴室５内に送られる。これによって、浴室５内の温度が高くなり、浴室温度センサ８の検知温度Ｔｒが上昇してゆく（図３参照）。
【００６２】
続くＳ１４では、コントローラー９０が、第２熱媒復路２２ｂに設けられている第２熱媒弁３２を開状態にする。なお、Ｓ１３とＳ１４の手順の前後関係は特に限定されるものではなく、第２熱媒弁３２を開状態にした後に、循環ファン４を駆動してもよい。また、両者を同時に実行してもよい。Ｓ１４で第２熱媒弁３２が開状態になると、第２熱媒路２２（第２熱媒往路２２ａと第２熱媒復路２２ｂ）内の熱媒が流れ始める。また、第２熱媒往路２２ａが第１熱媒往路２１ａに接続されているので、第１熱媒往路２１ａを流れている熱媒の一部が第２熱媒往路２２ａへ流れる。第２熱媒往路２２ａを流れた熱媒が液液熱交換器３へ送られる。
【００６３】
液液熱交換器３には、第２熱媒往路２２ａから熱媒が送られている。液液熱交換器３では、第２熱媒往路２２ａによって液液熱交換器３に送られた熱媒によって、液液熱交換器３内の水が加熱される。熱媒と水の熱交換によって水が加熱される。液液熱交換器３で熱交換された後の熱媒は、第２熱媒復路２２ｂを流れる。熱交換された後の熱媒は、第２熱媒復路２２ｂによって第１熱媒復路２１ｂへ送られる。
【００６４】
続くＳ１５では、コントローラー９０が、浴室温度センサ８の検知温度Ｔｒが所定の基準浴室温度Ｔｂ以上であるか否かを判断する。所定の基準浴室温度Ｔｂは例えば２５℃である。浴室温度センサ８の検知温度Ｔｒが所定の基準浴室温度Ｔｂ（２５℃）以上である場合は、Ｓ１５でコントローラー９０がＹｅｓと判断してＳ１６に進む。一方、浴室温度センサ８の検知温度Ｔｒが所定の基準浴室温度Ｔｂ（２５℃）以上でない（未満である）場合は、Ｓ１５でコントローラー９０がＮｏと判断して待機する。
【００６５】
続くＳ１６では、コントローラー９０が、第１送水路４１に設けられている給水弁５２と、第２送水路４２に設けられているミスト弁５１を同時に開状態にする。給水弁５２とミスト弁５１が開状態になると、第１送水路４１と第２送水路４２内の水が流れ始める。第１送水路４１を流れた水が液液熱交換器３へ送られる。また、第２送水路４２を流れた水がミストノズル６へ送られる。液液熱交換器３で加熱された水がミストノズル６へ送られる。ミストノズル６は、第２送水路４２によってミストノズル６に送られた水をミスト状にして浴室５内に噴霧する。液液熱交換器３で加熱された水が浴室５内に噴霧される。その後、ミスト運転が終了になるまでミスト状の水が浴室５内に噴霧される。
【００６６】
以上、浴室空調機１の構成と動作について説明した。上記の説明から明らかなように、浴室空調機１は、気液熱交換器２と、気液熱交換器２に並列接続されている液液熱交換器３と、気液熱交換器２に熱媒を送る第１熱媒往路２１ａと、気液熱交換器２からの熱媒を戻す第１熱媒復路２１ｂと、第１熱媒往路２１ａから分岐しており、第１熱媒往路２１ａを流れる熱媒の一部を液液熱交換器３に送る第２熱媒往路２２ａと、第１熱媒復路２１ｂに合流しており、液液熱交換器３からの熱媒を戻す第２熱媒復路２２ｂと、液液熱交換器３に水を送る第１送水路４１を備えている。また、浴室空調機１は、ミストノズル６と、液液熱交換器３からミストノズル６に水を送る第２送水路４２を備えている。また、浴室空調機１は、第１熱媒往路２１ａを開閉する第１熱媒弁３１と、第２熱媒復路２２ｂを開閉する第２熱媒弁３２と、第１熱媒往路２１ａを流れる熱媒の温度を検知する熱媒温度センサ７と、第２送水路４２を開閉するミスト弁５１と、浴室５内の温度を検知する浴室温度センサ８と、コントローラー９０を備えている。この浴室空調機１は、ミスト運転を実行可能である。ミスト運転では、気液熱交換器２が、第１熱媒往路２１ａによって気液熱交換器２に送られた熱媒によって浴室５内に送る空気を加熱し、液液熱交換器３が、第１送水路４１によって液液熱交換器３に送られた水を、第２熱媒往路２２ａによって液液熱交換器３に送られた熱媒によって加熱し、ミストノズル６が、第２送水路４２によって液液熱交換器３からミストノズル６に送られた水をミスト状にして浴室５内に噴霧する。コントローラー９０は、ミスト運転の開始時に第２熱媒弁３２とミスト弁５１を閉状態としたまま第１熱媒弁３１を開状態にする処理と（図２のＳ１１参照）、熱媒温度センサ７によって検知される熱媒の温度が所定の基準熱媒温度Ｔａに達した場合に第２熱媒弁３２を開状態にする処理と（図２のＳ１２、Ｓ１４参照）、ミスト弁５１を開状態にする処理とをこの順で実行するように構成されている（図２のＳ１６参照）。
【００６７】
このような構成によれば、ミスト運転の開始時には第２熱媒弁３２が閉状態であるので、第２熱媒往路２２ａ内の熱媒が流れていない状態である。したがって、第２熱媒往路２２ａから液液熱交換器３へ熱媒が送られていない状態である。この状態でコントローラー９０が第１熱媒弁３１を開状態にすると、第１熱媒往路２１ａ内の熱媒が流れて気液熱交換器２に熱媒が送られる。このように、上記の構成によれば、ガス熱源機１００から送られる熱媒が低温の間は、液液熱交換器３に熱媒が送られていない状態で気液熱交換器２に熱媒を送ることができる。そのため、ミスト運転の開始時には熱媒を液液熱交換器３に送らずに気液熱交換器２に集中して送ることができ、液液熱交換器３での熱媒からの放熱による熱の無駄な消費を防ぐことができる。なお、この場合、気液熱交換器２での熱媒からの放熱は存在するが、気液熱交換器２での放熱は、その後の浴室５内の暖房に利用されるため、熱が無駄に消費されてしまうことはない。また、ガス熱源機１００から送られる熱媒が低温の間は、液液熱交換器３の内部に滞留している水を無駄に加熱してしまうことがないので、液液熱交換器３の内部の水の圧力上昇を抑制することができる。その後、コントローラー９０は、熱媒温度センサ７によって検知される熱媒の温度が基準熱媒温度Ｔａに達した場合に第２熱媒弁３２を開状態にし、その後にミスト弁５１を開状態にする。これによって、ガス熱源機１００から送られる熱媒の温度が高くなった後に、液液熱交換器３に熱媒を送って、ミストノズル６に送られる水を加熱することができる。
【００６８】
以上のように、上記の浴室空調機１によれば、ミスト運転の開始時には気液熱交換器２のみに熱媒を送り、その後に液液熱交換器３にも熱媒を送ることによって、液液熱交換器３からの放熱によって熱媒の熱を無駄に浪費することがない。
【００６９】
これに対して、従来技術の浴室空調機では、図７に示すように、ミスト運転の開始時に第１熱媒弁３１を開状態にすると共に、第２熱媒弁３２を開状態にしている。したがって、ミスト運転の開始時に気液熱交換器２と液液熱交換器３の両方に熱媒が送られる。気液熱交換器２では熱媒によって気液熱交換器２の近傍の空気が加熱され、液液熱交換器３では熱媒によって液液熱交換器３内に滞留している水が加熱される。ミスト運転の開始時から空気と水の両方が熱媒によって加熱される。そのため、液液熱交換器３での放熱によって熱の無駄な消費があるとともに、液液熱交換器３の内部に滞留する水が温度上昇して、水の圧力上昇を招いてしまう。従来技術では、液液熱交換器３、第１送水路４１及び第２送水路４２内の水圧が高くなるので、図７のＳ２０１に示すように、第１過圧逃がし弁５５と第２過圧逃がし弁５６を開状態にする必要がある。
【００７０】
また、上記の説明から明らかなように、浴室空調機１は、気液熱交換器２と浴室５内の間で空気を循環させる循環ファン４を更に備えている。また、コントローラー９０が、ミスト運転の開始時に循環ファン４を停止したまま第１熱媒弁３１を開状態にする処理と（図２のＳ１１参照）、熱媒温度センサ７によって検知される熱媒の温度が所定の基準熱媒温度Ｔａに達した場合に循環ファン４を駆動する処理とをこの順で実行するように構成されている（図２のＳ１２、Ｓ１３参照）。
【００７１】
このような構成によれば、ミスト運転の開始時には循環ファン４が停止しているので、熱媒が高温になる前は、浴室５内と気液熱交換器２の間で空気が循環することがない。従って、気液熱交換器２でそれほど加熱されていない低温の空気が浴室５内に送られることがない。その後、熱媒温度センサ７によって検知される熱媒の温度が基準熱媒温度Ｔａに達した場合に循環ファン４が駆動する。これによって、高温の熱媒によって加熱された空気を浴室５内に送ることができ、浴室５内に暖かい空気を送ることができる。
【００７２】
以上、一実施例について説明したが具体的な態様は上記実施例に限定されるものではない。以下の説明において、上述の説明における構成と同様の構成については同一の符号を付して説明を省略する。
【００７３】
上記の実施例では、コントローラー９０が、Ｓ１５で浴室温度センサ８の検知温度Ｔｒが所定の基準浴室温度以上であるか否かを判断し、判断結果に応じてＳ１６でミスト弁５１を開状態にしていたが、この構成に限定されるものではない。他の実施例では、図４に示すように、Ｓ１５でコントローラー９０が、第２熱媒弁３２を開状態にしてから所定時間が経過したか否かを判断してもよい。第２熱媒弁３２を開状態にしてから所定時間が経過している場合は、Ｓ１５でコントローラー９０がＹｅｓと判断してＳ１６に進む。一方、第２熱媒弁３２を開状態にしてから所定時間が経過していない場合は、Ｓ１５でコントローラー９０がＮｏと判断して待機する。
【００７４】
上記の浴室空調機１では、コントローラー９０が、ミスト運転において、第２熱媒弁３２を開状態にする処理を実行した後に所定時間が経過した場合にミスト弁５１を開状態にする処理を実行するように構成されている（図４のＳ１５、Ｓ１６参照）。
【００７５】
このような構成によれば、浴室温度センサ８によって検知される浴室５内の温度をコントローラー９０での制御に利用できない場合であっても、第２熱媒弁３２を開状態にした後に浴室５内の温度が上昇する時間を確保することができる。そして、浴室５内の温度が高くなった後に、ミスト弁５１を開状態にして液液熱交換器３からミストノズル６に水を送ることができる。よって、浴室５内の温度が高くなった後にミスト状の水を浴室５内に噴霧することができる。
【００７６】
（第２実施例）
第２実施例では、図５及び図６に示すように、コントローラー９０が、Ｓ１３で循環ファン４を駆動した後に、Ｓ１４で第２熱媒弁３２を開状態にする前に、Ｓ３１で、浴室温度センサ８の検知温度Ｔｒが所定の第１基準浴室温度Ｔｂ１以上であるか否かを判断する。所定の第１基準浴室温度Ｔｂ１は例えば２０℃である。浴室温度センサ８の検知温度Ｔｒが所定の第１基準浴室温度Ｔｂ１（２０℃）以上である場合は、Ｓ３１でコントローラー９０がＹｅｓと判断してＳ１４に進む。一方、浴室温度センサ８の検知温度Ｔｒが所定の第１基準浴室温度Ｔｂ１（２０℃）以上でない（未満である）場合は、Ｓ３１でコントローラー９０がＮｏと判断して待機する。
【００７７】
また、Ｓ１４に続くＳ１５では、コントローラー９０が、浴室温度センサ８の検知温度Ｔｒが所定の第２基準浴室温度Ｔｂ２以上であるか否かを判断する。所定の第２基準浴室温度Ｔｂ２は例えば２５℃である。浴室温度センサ８の検知温度Ｔｒが所定の第２基準浴室温度Ｔｂ２（２５℃）以上である場合は、Ｓ１５でコントローラー９０がＹｅｓと判断してＳ１６に進む。一方、浴室温度センサ８の検知温度Ｔｒが所定の第２基準浴室温度Ｔｂ２（２５℃）以上でない（未満である）場合は、Ｓ１５でコントローラー９０がＮｏと判断して待機する。第２基準浴室温度Ｔｂ２（２５℃）は、第１基準浴室温度Ｔｂ１（２０℃）より高い温度である。
【００７８】
上記の浴室空調機１では、コントローラー９０が、ミスト運転において、循環ファン４を駆動する処理を実行した後に浴室温度センサ８によって検知される浴室５内の温度Ｔｒが所定の第１基準浴室温度Ｔｂ１に達した場合に第２熱媒弁３２を開状態にする処理を実行するように構成されている（図５のＳ３１、Ｓ１４参照）。
【００７９】
このような構成によれば、浴室温度センサ８の検知温度Ｔｒが第１基準浴室温度Ｔｂ１に達した後に液液熱交換器３に熱媒を送ることができる。したがって、浴室５内の温度が高くなるまでは、液液熱交換器３に熱媒を送らずに気液熱交換器２のみに熱媒を集中して送ることができる。これによって、浴室５内の温度が高くなるまでは、気液熱交換器２によって浴室５内に送る空気を優先的に加熱することができる。その後、浴室５内の空気が暖まってから、液液熱交換器３に熱媒を送ることができる。そして、液液熱交換器３においてミストノズル６に送るための水を加熱する。以上より、まずは気液熱交換器２によって浴室５内に送る空気を優先的に加熱するので、図６に示すように、浴室５内の温度の上昇速度を速くすることができる。
【００８０】
また、上記の構成によれば、浴室温度センサ８の検知温度Ｔｒが第１基準浴室温度Ｔｂ１（２０℃）に達するまでは液液熱交換器３に熱媒が送られない。したがって、液液熱交換器３でミストノズル６に送るための水が加熱されないので、水温と水圧が上昇しない。これによって、液液熱交換器３内の水圧と、第１送水路４１及び第２送水路４２内の水圧が上昇しない。
【００８１】
図３及び図６に示すように、第２実施例と第１実施例を比較すると、第２実施例では、浴室温度センサ８の検知温度Ｔｒの上昇速度が第１実施例よりも速くなる。したがって、第２実施例では、浴室５内の空気をより速く暖めることができる。
【００８２】
また、上記の浴室空調機１では、コントローラー９０が、ミスト運転において、循環ファン４を駆動する処理を実行した後に浴室温度センサ８によって検知される浴室５内の温度Ｔｒが第１基準浴室温度Ｔｂ１よりも高い所定の第２基準浴室温度Ｔｂ２に達した場合にミスト弁５１を開状態にする処理を実行するように構成されている（図５のＳ１５、Ｓ１６参照）。
【００８３】
このような構成によれば、浴室温度センサ８の検知温度Ｔｒが第２基準浴室温度Ｔｂ２に達した後に、ミスト弁５１を開状態にして液液熱交換器３からミストノズル６に水を送ることができる。よって、浴室５内の温度が高くなった後にミスト状の水を浴室５内に噴霧することができる。
【００８４】
上記の実施例では、第１熱媒弁３１が第１熱媒往路２１ａに設けられていたが、この構成に限定されるものではない。他の実施例では、第１熱媒弁３１が、第１熱媒往路２１ａではなく第１熱媒復路２１ｂに設けられていてもよい。第１熱媒弁３１が第１熱媒復路２１ｂを開閉する。第１熱媒弁３１が開状態になると、第１熱媒路２１（第１熱媒往路２１ａと第１熱媒復路２１ｂ）内の熱媒が流れる。
【００８５】
また、上記の実施例では、第２熱媒弁３２が第２熱媒復路２２ｂに設けられていたが、この構成に限定されるものではない。他の実施例では、第２熱媒弁３２が、第２熱媒復路２２ｂではなく第２熱媒往路２２ａに設けられていてもよい。第２熱媒弁３２が第２熱媒往路２２ａを開閉する。第２熱媒弁３２が開状態になると、第２熱媒路２２（第２熱媒往路２２ａと第２熱媒復路２２ｂ）内の熱媒が流れる。
【００８６】
また、上記の実施例では、ミスト弁５１が第２送水路４２に設けられていたが、この構成に限定されるものではない。他の実施例では、ミスト弁５１が、第２送水路４２ではなく第１送水路４１に設けられていてもよい。ミスト弁５１が第１送水路４１を開閉する。ミスト弁５１が開状態になると、第１送水路４１と第２送水路４２内の水が流れる。
【００８７】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００８８】
１      ：浴室空調機
２      ：気液熱交換器
３      ：液液熱交換器
４      ：循環ファン
４ａ    ：モーター
５      ：浴室
６      ：ミストノズル
７      ：熱媒温度センサ
８      ：浴室温度センサ
９      ：換気ファン
９ａ    ：モーター
２１    ：第１熱媒路
２１ａ  ：第１熱媒往路
２１ｂ  ：第１熱媒復路
２２    ：第２熱媒路
２２ａ  ：第２熱媒往路
２２ｂ  ：第２熱媒復路
３１    ：第１熱媒弁
３２    ：第２熱媒弁
４１    ：第１送水路
４２    ：第２送水路
４３    ：迂回路
４４    ：放水路
５１    ：ミスト弁
５２    ：給水弁
５３    ：逆止弁
５５    ：第１過圧逃がし弁
５６    ：第２過圧逃がし弁
８１    ：ミスト温度センサ
８７    ：可変ルーバー
８７ａ  ：モーター
９０    ：コントローラー
１００  ：ガス熱源機
１０１  ：シスターン
１０２  ：ガスバーナー
１０３  ：熱交換器
１０４  ：加熱用熱媒路
１０５  ：送り用熱媒路
１０６  ：戻り用熱媒路
１０７  ：ポンプ
【図１】
0006688668.tif 000002
【図２】
0006688668.tif 000003
【図３】
0006688668.tif 000004
【図４】
0006688668.tif 000005
【図５】
0006688668.tif 000006
【図６】
0006688668.tif 000007
【図７】
0006688668.tif 000008